【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
血圧測定部位に装着されるカフ本体と、
血圧測定部位の動脈を圧迫する阻血用カフと、
前記阻血用カフの下方の略中央部よりも心臓側に配置されるサブカフと、
前記阻血用カフと前記サブカフに対して分岐接続される配管と、
前記配管と前記サブカフとの間に接続される流体抵抗器と、
前記配管を介して接続されるカフ圧力検出部と、
前記阻血用カフの加圧を行う加圧手段に接続される加圧制御部と、
前記配管を介して前記阻血用カフの減圧を行う減圧制御部と、
前記カフ圧力検出部に電気的に接続されるとともに、脈波を検出脈波信号に変換し、前記検出脈波信号に重畳する脈波を検出する脈波検出部と、
前記脈波検出部からの出力と、前記カフ圧力検出部の検出カフ圧信号と、に基づき血圧値を決定する血圧検出部と、
前記血圧検出部からの血圧値を表示する血圧表示部と、
を備えることを特徴とする血圧測定装置。
【請求項２】
前記阻血用カフと前記サブカフとの間にバッキング材を含む第１の裏打部材を配置したことを特徴とする請求項１に記載の血圧測定装置。
【請求項３】
前記阻血用カフと前記カフ本体との間にバッキング材を含む第２の裏打部材を配置したことを特徴とする請求項１または２に記載の血圧測定装置。
【請求項４】
さらに、前記流体抵抗器と並列に接続される逆止弁を設け、前記逆止弁は前記流体抵抗器をバイパスして前記サブカフを短時間内に加圧可能にすることを特徴とする請求項１乃至３のいずれか１項に記載の血圧測定装置。
【請求項５】
血圧測定部位に装着されるカフ本体と、
血圧測定部位の動脈を圧迫する阻血用カフと、
前記阻血用カフの下方の略中央部よりも心臓側に配置されるサブカフと、
前記阻血用カフと前記サブカフに対して分岐接続される配管と、
前記配管と前記サブカフとの間に接続される流体抵抗器と、
を備えた血圧測定装置の測定方法であって、
前記阻血用カフに接続される加圧手段と、前記加圧手段に接続される加圧制御部を介して前記動脈を圧迫する工程と、
前記阻血用カフに接続される圧力検出部により、前記脈波を検出脈波信号に変換する工程と、
減圧制御部を介して前記阻血用カフを減圧する工程と、
脈波検出部において、前記検出脈波信号に重畳する脈波を検出する工程と、
血圧検出部において、前記脈波検出部の出力と、前記カフ圧力検出部の検出カフ圧信号とに基づき血圧値を決定する工程と、
血圧表示部において、前記血圧検出部からの血圧値を表示する工程と、
を有することを特徴とする測定方法。
【請求項６】
血圧測定部位に装着されるカフ本体と、
血圧測定部位の動脈を圧迫する阻血用カフと、
前記阻血用カフの下方の略中央部よりも心臓側に配置されるサブカフと、
前記阻血用カフと前記サブカフに対して分岐接続される配管と、
前記配管と前記サブカフとの間に接続される流体抵抗器と、
を備えた血圧測定装置の制御プログラムが記憶されたコンピュータ読取り可能な記憶媒体であって、
前記制御プログラムは、
前記阻血用カフに接続される加圧手段と、前記加圧手段に接続される加圧制御部を介して前記動脈を圧迫するプログラムと、
前記阻血用カフに接続される圧力検出部により、前記脈波を検出脈波信号に変換するプログラムと、
減圧制御部により前記阻血用カフを減圧するプログラムと、
脈波検出部において、前記検出脈波信号に重畳する脈波を検出するプログラムと、
血圧検出部において、前記脈波検出部の出力と、前記カフ圧力検出部の検出カフ圧信号とに基づき血圧値を決定するプログラムと、
血圧表示部において、前記血圧検出部からの血圧値を表示するプログラムと、
を有することを特徴とする記憶媒体。
【請求項７】
血圧測定部位に装着されるカフ本体と、
血圧測定部位の動脈を圧迫する阻血用カフと、
前記阻血用カフの下方の略中央部よりも心臓側に配置されるサブカフと、
前記阻血用カフと前記サブカフに対して分岐接続される配管と、
前記配管と前記サブカフとの間に接続される流体抵抗器と、
を備えることを特徴とする血圧測定用カフ。
【請求項８】
前記阻血用カフと前記サブカフとの間にバッキング材を含む第１の裏打部材を配置したことを特徴とする請求項７に記載の血圧測定用カフ。
【請求項９】
前記阻血用カフと前記カフ本体との間にバッキング材を含む第２の裏打部材を配置したことを特徴とする請求項７または８に記載の血圧測定用カフ。
【請求項１０】
さらに、前記流体抵抗器と並列に接続される逆止弁を設け、前記逆止弁は前記流体抵抗器をバイパスして前記サブカフを短時間内に加圧可能にすることを特徴とする請求項７乃至９のいずれか１項に記載の血圧測定用カフ。
【手続補正２】
【補正対象書類名】明細書
【補正対象項目名】発明の名称
【補正方法】変更
【補正の内容】
【発明の名称】血圧測定装置、その測定方法、記憶媒体及び血圧測定用カフ
【手続補正３】
【補正対象書類名】明細書
【補正対象項目名】００１８
【補正方法】変更
【補正の内容】
【００１８】
上述した課題を解決するために、本発明の血圧測定装置によれば、血圧測定部位に装着されるカフ本体と、血圧測定部位の動脈を圧迫する阻血用カフと、前記阻血用カフの下方の略中央部よりも心臓側に配置されるサブカフと、前記阻血用カフと前記サブカフに対して分岐接続される配管と、前記配管と前記サブカフとの間に接続される流体抵抗器と、前記配管を介して接続されるカフ圧力検出部と、前記阻血用カフの加圧を行う加圧手段に接続される加圧制御部と、前記配管を介して前記阻血用カフの減圧を行う減圧制御部と、前記カフ圧力検出部に電気的に接続されるとともに、脈波を検出脈波信号に変換し、前記検出脈波信号に重畳する脈波を検出する脈波検出部と、前記脈波検出部からの出力と、前記カフ圧力検出部の検出カフ圧信号と、に基づき血圧値を決定する血圧検出部と、前記血圧検出部からの血圧値を表示する血圧表示部と、を備えることを特徴としている。
【手続補正４】
【補正対象書類名】明細書
【補正対象項目名】００２２
【補正方法】変更
【補正の内容】
【００２２】
また、血圧測定部位に装着されるカフ本体と、血圧測定部位の動脈を圧迫する阻血用カフと、前記阻血用カフの下方の略中央部よりも心臓側に配置されるサブカフと、前記阻血用カフと前記サブカフに対して分岐接続される配管と、前記配管と前記サブカフとの間に接続される流体抵抗器と、を備えた血圧測定装置の測定方法であって、前記阻血用カフに接続される加圧手段と、前記加圧手段に接続される加圧制御部を介して前記動脈を圧迫する工程と、前記阻血用カフに接続される圧力検出部により、前記脈波を検出脈波信号に変換する工程と、減圧制御部を介して前記阻血用カフを減圧する工程と、脈波検出部において、前記検出脈波信号に重畳する脈波を検出する工程と、血圧検出部において、前記脈波検出部の出力と、前記カフ圧力検出部の検出カフ圧信号とに基づき血圧値を決定する工程と、血圧表示部において、前記血圧検出部からの血圧値を表示する工程と、を有することを特徴としている。
【手続補正５】
【補正対象書類名】明細書
【補正対象項目名】００２３
【補正方法】変更
【補正の内容】
【００２３】
また、血圧測定部位に装着されるカフ本体と、血圧測定部位の動脈を圧迫する阻血用カフと、前記阻血用カフの下方の略中央部よりも心臓側に配置されるサブカフと、前記阻血用カフと前記サブカフに対して分岐接続される配管と、前記配管と前記サブカフとの間に接続される流体抵抗器と、を備えた血圧測定装置の制御プログラムが記憶されたコンピュータ読取り可能な記憶媒体であって、前記制御プログラムは、前記阻血用カフに接続される加圧手段と、前記加圧手段に接続される加圧制御部を介して前記動脈を圧迫するプログラムと、前記阻血用カフに接続される圧力検出部により、前記脈波を検出脈波信号に変換するプログラムと、減圧制御部により前記阻血用カフを減圧するプログラムと、脈波検出部において、前記検出脈波信号に重畳する脈波を検出するプログラムと、血圧検出部において、前記脈波検出部の出力と、前記カフ圧力検出部の検出カフ圧信号とに基づき血圧値を決定するプログラムと、血圧表示部において、前記血圧検出部からの血圧値を表示するプログラムと、を有することを特徴としている。